(57)【要約】【課題】多目的ホール等の室内において、残響時間の制御機能に加えて反射音の制御機能をも可能とした音場可変システムを提供する。【解決手段】矩形状の枠体３の内側に、表面側に反射面、裏面側に吸音面を形成した複数のパネル材２を隣接させて配設することでパネルユニット４を構成する。各パネル材２は上下を結ぶ線を軸として回転可能に取り付け、枠体３の上部外側にパネル材２を同時に回転させる回転機構８を取り付ける。このパネルユニット４は、下端部を室内１の内壁１ａにステー１５及びピン１６を介して枢支すると共に、上端には索条１４（ワイヤロープ）を繋ぎ留める。内壁１ａに取り付けた傾倒機構１３の巻上げ装置２２により、索条１４を介して前記枠体３を室内１の内方に所定角度傾倒できるように構成する。【選択図】    図４
2004198584.tif 000002
【特許請求の範囲】
【請求項１】
少なくとも表面側に反射面を形成したパネル材を、音場空間を構成する室内の内壁近傍に配設し、このパネル材の上下に設けた軸回りに当該パネル材を回転させる回転機構と、このパネル材の下端を支点として当該パネル材を前記室内の内方に向けて傾倒させる傾倒機構とを設けてなることを特徴とする音場可変システム。
【請求項２】
前記パネル材の裏面側に吸音面を設けたことを特徴とする請求項１記載の音場可変システム。
【請求項３】
前記回転機構は、前記パネル材を軸回りに所定角度回転させる回転角制御部材を備えていることを特徴とする請求項１又は請求項２記載の音場可変システム。
【請求項４】
前記傾倒機構は、前記内壁に取り付けられた巻上げ装置を備え、この巻上げ装置に係る索条の先端を前記パネル材の上部に繋ぎ留め、前記巻上げ装置により索条を介して前記パネル材を所定角度傾倒させる傾倒角制御部材を備えていることを特徴とする請求項１ないし請求項３いずれか１項記載の音場可変システム。
【請求項５】
矩形状の枠体の内側に前記パネル材を複数隣接させて配設したことを特徴とする請求項１又は請求項２記載の音場可変システム。
【請求項６】
前記枠体の対向辺に複数のパネル材に設けた軸をそれぞれ回転可能に取り付け、これらの軸を同時に回転させる回転機構を前記枠体の外側に設けたことを特徴とする請求項５記載の音場可変システム。
【請求項７】
前記枠体の下部は前記内壁にステー及びピンを介して枢支し、前記巻き上げ機により索条を介して枠体を室内の内方に所定角度傾倒させることにより、複数のパネル材を同時に傾倒することを特徴とする請求項５又は請求項６記載の音場可変システム。
【発明の詳細な説明】
【０００１】
【発明の属する技術分野】
本発明は、音場空間を構成する多目的ホール等の室内において、残響音の制御機能のみならず反射音の制御機能をも可能とした音場可変システムに関する。
【０００２】
【従来の技術】
一般に、多目的ホール等においては種々のイベントが開催され、そのイベントの種類によって音源から発せられる音を制御すること、特に残響音を制御することが行われている。例えば、音楽関係のイベントでは、室内の聴取者にとって残響時間が比較的長い方が余韻が残るため好ましいとされ、一方演劇や講演等のイベントでは、残響時間が長いと音声が聴き取り難くなるために残響時間は短い方が良いとされている。
【０００３】
従来では、この残響時間を物理的に制御するために、多目的ホール等の室内（音場空間）に残響可変装置を装備するようにしている。この種の残響可変装置としては、例えば残響時間が多目的ホール等の室内の容積によって大きな影響を受けることに鑑み、室内の床、壁及び天井の必要部位に配設した多数のパネルユニットと、これらパネルユニットの一部又は全部を移動させる可動手段とで構成し、音楽、演劇又は講演等の使用目的に応じて当該パネルユニットを進退させ、室内の容積及び形態変化を可能としたものが開示されている（例えば、特許文献１）。
【０００４】
又、他の従来例としては、多目的ホール等の室内の天井面より複数の小円柱状吸音体を昇降させることにより残響時間を可変する技術や、回転扉状の開閉体を有する広周波数帯域残響可変装置を室内の壁面に取り付ける技術や、巻取型のシャッターを有する広周波数帯域残響可変装置を室内の壁面に取り付ける技術等が開示されている（例えば、特許文献２）。
【０００５】
更に、その他の従来例として、残響可変装置の機構が回転式、スライド型開閉式、吊り下げ式、カーテン式、ブラインド式等のものが開示されている（例えば、非特許文献１）。
【０００６】
【特許文献１】
特開平６−３０７１０７号公報
【特許文献２】
特開平７−２４８７７５号公報
【非特許文献１】
小川有子，「多目的ホールの残響可変装置」，音響技術，１９８２，ｎｏ．３７／ｆｅｂ，ｐ．３１−４０
【０００７】
【発明が解決しようとする課題】
しかしながら、上記従来の残響可変装置は、いずれも多目的ホール等の室内において残響時間を制御するものであって、音の反射を制御する技術に関しては開示されていない。室内の聴取者に対しては、イベントの種類に応じて音声を明瞭に伝達させることが重要であり、単に残響時間を制御するだけでは不十分である。このため、音声の聞こえ方に大きな影響を及ぼす反射音を制御することが強く要求される。
【０００８】
本発明は、このような要求を満足させるためになされたもので、多目的ホール等の室内において、残響時間の制御機能に加えて反射音の制御機能をも可能とした音場可変システムを提供することを目的とする。
【０００９】
本発明者らは、上記の目的を達成するために鋭意研究した結果、表面側を木質系材料のような反射性を有する部材で形成して反射面とし、裏面側をグラスウールのような吸音性を有する部材で形成して吸音面としたパネル材を構成し、このパネル材を音場空間室内の内壁近傍に配設し、パネル材の上下を結ぶ線を軸として所定角度に回転させると共に、パネル材の下端を支点として室内の内方へ所定角度に傾倒させることにより、残響時間の制御と反射音の制御との両方を実現できることを見出して本発明を完成するに至った。
【００１０】
【課題を解決するための手段】
上記目的を達成するための手段として、本発明の請求項１は、少なくとも表面側に反射面を形成したパネル材を、音場空間を構成する室内の内壁近傍に配設し、このパネル材の上下に設けた軸回りに当該パネル材を回転させる回転機構と、このパネル材の下端を支点として当該パネル材を前記室内の内方に向けて傾倒させる傾倒機構とを設けてなる音場可変システムを特徴とする。
【００１１】
又、本発明の請求項２は、請求項１の音場可変システムにおいて、前記パネル材の裏面側に吸音面を設けたことを特徴とする。
【００１２】
更に、本発明の請求項３は、請求項１又は請求項２の音場可変システムに置いて、前記回転機構は、前記パネル材を軸回りに所定角度回転させる回転角制御部材を備えていることを特徴とする。
【００１３】
本発明の請求項４は、請求項１ないし請求項３いずれか１項の音場可変システムにおいて、前記傾倒機構は、前記内壁に取り付けられた巻上げ装置を備え、この巻上げ装置に係る索条の先端を前記パネル材の上部に繋ぎ留め、前記巻上げ装置により索条を介して前記パネル材を所定角度傾倒させる傾倒角制御モータを備えていることを特徴とする。
【００１４】
本発明の請求項５は、請求項１又は請求項２の音場可変システムにおいて、矩形状の枠体の内側に前記パネル材を複数隣接させて配設したことを特徴とする。
【００１５】
本発明の請求項６は、請求項５の音場可変システムにおいて、前記枠体の対向辺に複数のパネル材に設けた軸をそれぞれ回転可能に取り付け、これらの軸を同時に回転させる回転機構を前記枠体の外側に設けたことを特徴とする。
【００１６】
本発明の請求項７は、請求項５又は請求項６の音場可変システムにおいて、前記枠体の下部は前記内壁にステー及びピンを介して枢支し、前記巻き上げ機により索条を介して枠体を室内の内方に所定角度傾倒させることにより、複数のパネル材を同時に傾倒することを特徴とする。
【００１７】
【発明の実施の形態】
次に、本発明に係る音場可変システムの実施形態に付いて添付図面を参照しながら説明する。図１は、本発明に係る音場可変システムを多目的ホール等の室内における側面の内壁近傍に設けた例を示す概略縦断側面図である。図２は、その概略縦断正面図である。
【００１８】
図１及び図２において、１は多目的ホール等の室内（音場空間）であり、その両側面の内壁１ａ近傍に複数のパネル材２が隣接状態で配設されている。このパネル材２は、例えば表面側を木質系材料のような反射性を有する部材で形成して反射面２ａとし、裏面側をグラスウールのような吸音性を有する部材で形成して吸音面２ｂとした構成にしてある。ここで、反射面２ａ及び吸音面２ｂを形成する部材は上記のものに限定されない。
【００１９】
上記パネル材２は、図３（ａ）に示すように複数枚（例えば５枚）を１組として矩形状の枠体３の内側に適宜の間隔をあけて隣接して取り付けることによりパネルユニット４として構成される。各パネル材２は中央の上下端部に軸がそれぞれ固定され、上部軸２ｃは枠体３の上辺部に設けられた軸受け５を貫通して上方に突出し、その突出端部にピニオン７が取り付けられており、下部軸２ｄは枠体３の下辺部に設けられた軸受け６に回転自在に支持されている。これにより、各パネル材２は上部軸２ｃと下部軸２ｄとを結ぶ線Ｃを軸として回転し、しかも回転機構８により同時に同方向に回転することができる。
【００２０】
回転機構８は、枠体３の上辺部に取り付けた基台８ａ上にブラケット８ｂを介して水平に支持されたパワースリンダ９（回転角制御部材）を備え、このパワースリンダ９の進退ロッド９ａの先端部にはラック１０がステー１１を介して取り付けられている。ラック１０は、図３（ｂ）に示すように枠体３の上辺部より少し短い所定の長さを有し、パワースリンダ９の下方空間部を貫通して枠体３の上辺部と平行に位置しており、前面側の歯部１０ａは前記各ピニオン７と噛合している。又、このラック１０の後面側は、前記各ピニオン７に対向させて枠体３の上辺部に設けられた複数のガイドローラ１２にそれぞれ接触している。従って、パワースリング９によりラック１０を左右方向に動かすことにより各ピニオン７を回転させ、パネル材２を同時に同方向に同角度回転させることができる。しかも、制御装置（図略）からの信号によりパワースリング９を作動させることで、ラック１０の移動量を規制してパネル材２の回転角度を制御することができる。
【００２１】
図４は、パネルユニット４の取付状態及び傾倒状態を示す概略縦断面図であり、このパネルユニット４の上部は、傾倒機構１３に係る索条１４（例えば、ワイヤーロープ）により支持され、パネルユニット４の下部は前記内壁１ａに固定したステー１５にピン１６を介して枢支されている。
【００２２】
具体的に詳しく説明すると、パネルユニット４の上部に関しては、前記枠体３の上辺部の両端部にプーリー１７（図３参照）が設けられ、枠体３の両側辺部の上部には留め具１８が設けられており、前記傾倒機構１３から繰り出された索条１４（後で説明するが２本ある）が、傾倒機構１３の下方に位置させて内壁１ａに取り付けた中間プーリー１９（プーリー１７に対応させて２個ある）の下側に係合して反転すると共に、前記枠体３に取り付けられたプーリー１７の上側に係合して更に反転し、その索条１４の先端部を留め具１８にそれぞれ繋ぎ留めた構成にしてある。
【００２３】
一方、パネルユニット４の下部に関しては、枠体３の下辺部の両端部にブラケット２０が設けられ、前記ステー１５（ブラケット２０に対応させて２個ある）に対してブラケット２０を前記ピン１６によりそれぞれ枢支した構成にしてある。尚、パネルユニット４が垂直状態において、各パネル材２が１８０°回転できるように内壁１ａとの間に十分な間隔Ｓを設定してある。又、図４のように枠体３の上部にカバー３ａを取り付けて回転機構８を隠蔽するようにすると好ましい。
【００２４】
前記傾倒機構１３は、室内１の内壁１ａに固定されたステー２１に取付板１３ａが支持され、図５に示すように取付板１３ａの下部中央に巻上げ装置２２が取り付けられ、この巻上げ装置２２の回転が両側に接続された回転アーム２３を介して取付板１３ａの両端部に支持されているプーリー２４に伝達される。この両端部のプーリー２４には、前記２本の索条１４がそれぞれ巻き付けられ、更に巻上げ装置２２に傾倒角制御部材２５（例えば、パルスモータ）を連結した構成にしてある。
【００２５】
上記巻上げ装置２２により索条１４を巻き上げ又は繰り出すと、前記パネルユニット４の自重により枠体３が前記ピン１６を支点として回転し、これによりパネル材２を内方に向けて任意角度で傾倒させることができる。巻上げ装置２２によるパネル材２の傾倒角度は、制御装置（図略）からの信号により上記傾倒角度制御部材２５を作動させて制御できるようにしてあり、この場合は最大４５°程度に設定してあるがそれに限定されない。尚、傾倒機構１３は室内１の天井裏に装備して隠蔽し、索条１４が天井を貫通するようにすると好ましい。
【００２６】
このように構成された本発明に係る音場可変システムは、前記パネル材２を所定角度回転させると共に所定角度傾倒させることで、図１及び図２に示すように舞台上の音源から発する音をパネル材２の表面側の反射面２ａで反射し、その反射音を客席に向けて伝達することができる。従って、演劇や講演等のイベントの場合は、観客は音声を明瞭に聴き取ることができる。
【００２７】
実際の使用においては、多目的ホールの規模即ち室内１の大きさ（容積）によってパネルユニット４を複数横に並設し、これらのパネルユニット４のパネル材２の回転角度及び傾倒角度を変えることで、前席領域から後席領域まで及び中央席領域から左右の側席領域まで広い範囲内で上記のような効果を挙げることが可能である。
【００２８】
図６（ａ）は、一般の多目的ホールより小さい室内例えば劇団の練習室等での使用状態を示す説明図である。音源Ａ（俳優）からの発生音（歌や台詞）を聴取者Ｂ（舞台監督又はプロデューサ）が聴き取る場合に、室内１０１に設けたパネル材１０２を所定角度に回転すると共に、内方に向けて所定角度傾倒させることで発生音を反射面１０２ａで反射させ、その反射音を聴取者Ｂに向けて伝達することができる。従って、聴取者Ｂは音源Ａからの発生音を確実に聞き取ることができると共に、本番舞台上での観客に対する反射音状態を予想することができる。
【００２９】
又、室内１０１での俳優の発声音を録音するような場合には、パネル材１０２を１８０°回転させて裏面側の吸音面１０２ｂを室内１０１側に向ければ、音源Ａからの発生音の残響時間を制御することによりきれいな音声を録音することができる。尚、図６（ｂ）はパネル材１０２を垂直状態に保持した時の音の反射状況を示している。
【００３０】
【発明の効果】
以上説明したように、本発明に係る請求項１の発明によれば、少なくとも表面側に反射面を形成したパネル材を、音場空間を構成する室内の内壁近傍に配設し、このパネル材の上下に設けた軸回りに当該パネル材を回転させる回転機構と、このパネル材の下端を支点として当該パネル材を前記室内の内方に向けて傾倒させる傾倒機構とを設けてなることを特徴とする音場可変システムであるから、パネル材の所定角度の回転と所定角度の傾倒により、例えば多目的ホール等の舞台からの発生音を反射面で反射し、その反射音を観客に向けて確実に伝達することができる。従って、特に演劇や講演等のイベントの際に音声が聴き取りやすい効果を奏する。
【００３１】
又、本発明に係る請求項２の発明によれば、請求項１の音場可変システムにおいて、前記パネル材の裏面側に吸音面を設けたことを特徴とし、これにより多目的ホール等の舞台からの発生音の残響時間を制御し、特に音楽関係のイベントに際して観客に心地よい余韻を残すことができる。
【００３２】
更に、本発明に係る請求項３の発明によれば、請求項１又は請求項２の音場可変システムにおいて、前記回転機構は、前記パネル材を軸回りに所定角度回転させる回転角制御部材を備えているので、パネル材を所望とする回転角度に速やかに且つ正確に設定することができる。
【００３３】
本発明に係る請求項４の発明によれば、請求項１ないし請求項３いずれか１項の音場可変システムにおいて、前記傾倒機構は、前記内壁に取り付けられた巻上げ装置を備え、この巻上げ装置に係る索条の先端を前記パネル材の上部に繋ぎ留め、前記巻上げ装置により索条を介して前記パネル材を所定角度傾倒させる傾倒角制御部材を備えているので、パネル材を所望とする傾倒角度に速やかに且つ正確に設定することができる。
【００３４】
本発明に係る請求項５の発明によれば、請求項１又は請求項２の音場可変システムにおいて、矩形状の枠体の内側に前記パネル材を複数隣接させて配設したので、複数のパネル材を１組とするパネルユニットを形成することができ、このパネルユニットを隣接して配設することで、規模の大きい多目的ホール等であっても容易に効率良く施工することができる。
【００３５】
本発明に係る請求項６の発明によれば、請求項５の音場可変システムにおいて、前記枠体の対向辺に複数のパネル材に設けた軸をそれぞれ回転可能に取り付け、これらの軸を同時に回転させる回転機構を前記枠体の外側に設けたので、回転機構を作動させることにより複数のパネル材の回転作業を容易に効率良く行うことができる。
【００３６】
本発明に係る請求項７の発明によれば、請求項５又は請求項６の音場可変システムによれば、前記枠体の下部は前記内壁にステー及びピンを介して枢支し、前記巻き上げ機により索条を介して枠体を室内の内方に所定角度傾倒させることにより、複数のパネル材を同時に傾倒するので、傾倒作業を容易に効率良く行うことができる。
【図面の簡単な説明】
【図１】本発明に係る音場可変システムを、多目的ホール等の室内の内壁近傍に設けた例を示す概略縦断側面図である。
【図２】本発明に係る音場可変システムを、多目的ホール等の室内の内壁近傍に設けた例を示す概略縦断正面図である。
【図３】（ａ）は本発明に係る音場可変システムの実施形態におけるパネルユニット及び回転機構を示す概略正面図、（ｂ）は回転機構の平面図である。
【図４】本発明に係る音場可変システムの実施形態におけるパネルユニットの傾倒機構を示す概略断面図である。
【図５】傾倒機構の平面図である。
【図６】本発明に係る音場可変システムを、一般の多目的ホール等より小規模の室内で使用した例を示す説明図、（ｂ）は音場可変システムのパネル材を垂直にした時の音の反射状況を示す説明図である。
【符号の説明】
１…室内（音場空間）
１ａ…内壁
２…パネル材
２ａ…反射面
２ｂ…吸音面
３…枠体
４…パネルユニット
８…回転機構
９…パワースリンダ（回転角制御部材）
１３…傾倒機構
１４…索条
１５…ステー
１６…ピン
２２…巻上げ装置
２５…傾倒角制御部材
【図１】
2004198584.tif 000003
【図２】
2004198584.tif 000004
【図３】
2004198584.tif 000005
【図４】
2004198584.tif 000006
【図５】
2004198584.tif 000007
【図６】
2004198584.tif 000008